(57)【要約】　　　（修正有）【課題】接着剤が塗布された付箋紙を使うことなく、通常の紙片によって紙片を取り出す毎に次の紙片の取出し準備がなされる紙片ディスペンサーを提供する。【解決手段】収納箱２の表面に開口した取出し口２２から紙片Ａを１枚づつ取り出す紙片ディスペンサー１であって、紙片Ａは、本片部３２と、ヒンジ部３１で折返しされた折返し片部３３を有する紙片であり、一の該紙片Ａの本片部３２と折返し片部３３との間に他の前記紙片Ｂの本片部３２を挟むように、かつ、一の前記紙片Ａのヒンジ部３１と他の前記紙片Ｂのヒンジ部３１が反対側に位置するように、複数の前記紙片Ａ、Ｂを交互に積載して紙片束３を形成し、該紙片束３を前記紙片収納箱２に収納したうえで前記紙片束３の最上部に位置する紙片Ａの端部３４が前記収納箱２の一部表面２１に重なるよう前記収納箱２の取出し口２２から露出させた構造を有する。【選択図】　　図３
0003098980.tif 000002
【実用新案登録請求の範囲】
【請求項１】
収納箱の表面に開口した取出し口から紙片を１枚づつ取り出す紙片ディスペンサーであって、
前記紙片は、本片部と、ヒンジ部で折返しされた折返し片部を有する紙片であり、一の該紙片の本片部と折返し片部との間に他の前記紙片の本片部を挟むように、かつ、一の前記紙片のヒンジ部と他の前記紙片のヒンジ部が反対側に位置するように、複数の前記紙片を交互に積載して紙片束を形成し、該紙片束を前記紙片収納箱に収納したうえで前記紙片束の最上部に位置する紙片の端部が前記収納箱の一部表面に重なるよう前記収納箱の取出し口から露出させたことを特徴とする紙片ディスペンサー。
【請求項２】
請求項１記載の紙片ディスペンサーであって、
前記紙片の本片部と折返し部は同形であることを特徴とする紙片ディスペンサー。
【請求項３】
請求項１または２記載の紙片ディスペンサーであって、
前記収納箱内において、前記紙束の下に付勢手段を配置し、該紙束を前記収納箱の取出し口側に押圧することを特徴とする紙片ディスペンサー。
【請求項４】
請求項１乃至３のいずれか記載の紙片ディスペンサーであって、
前記取出し口の両側には、互いに対向する方向を示す印が印刷が施され、前記取出し口から露出した前記紙片が何れか一方の前記印を隠すことで、他方の前記印により前記紙片の引出し方向を使用者に示すことを特徴とする紙片ディスペンサー。
【考案の詳細な説明】
【０００１】
【考案の属する技術分野】
本考案は収納箱から紙片を一枚づつ取り出す紙片ディスペンサーに関し、特に、紙片を引き出す毎に次の紙片の端部を取出し口から露出させて紙片の引出しを容易にした紙片ディスペンサーに関する。
【０００２】
【従来の技術】
近年、商品販促用に商品の案内や使い方やクーポン券などを印刷した紙片を収納箱に入れ、これを売り場や展示ブースなどに置いて顧客に情報提供やディスカウントサービスを行う宣伝広告方法が用いられるようになっている。
【０００３】
この宣伝広告方法に用いられる紙片ディスペンサーとしては、例えば実用新案３０７１５８５号公報に記載された付箋紙収納容器や特許第２６８７９１３号に記載された付箋紙収納容器などがある。これら付箋紙収納器は、いずれも供給する紙片として、裏面端部に接着剤が塗布された付箋紙を用いており、接着剤の塗布位置を両端で互い違いに異ならせたものを積層し、付箋紙束としたものを収納容器に入れて使用するものである。
【０００４】
これらの紙片ディスペンサーによれば、使用者が取り出し口から一端が露出している最初の付箋紙をつまんで引き出すことによって、他端の裏面で接着剤により繋がった次の付箋紙の一端がいっしょに引っ張られ、取出し口から引き出されることとなる。そして、使用者が最初の付箋紙をさらに引っ張って次の付箋紙と分離させることにより、次の付箋紙の一端が取出し口から露出することになり、次の付箋紙の取出し準備が完了される。
【０００５】
このような付箋紙収納容器にあっては、付箋紙を一枚づつ取り出す毎に、次の付箋紙の端部が取出し口から露出することになり、付箋紙の取出し作業を簡単に行うことができる。
【０００６】
【特許文献１】
実用新案３０７１５８５号公報
【特許文献２】
特許第２６８７９１３号公報
【０００７】
【考案が解決しようとする課題】
しかしながら、これらの紙片ディスペンサーの構造では、付箋紙専用のディスペンサーであって、紙片をその裏面に接着剤を塗布した付箋紙としなければ使用することができない。付箋紙を用いる構造は、通常の紙片に比べてコストがかかるという欠点があり、上記構造においては、特に付箋紙の接着剤は裏面の一方の端部に交互に塗布しなければならないため、製造工程が複雑となり、より高価なものとなってしまうという問題があった。
【０００８】
また、付箋紙に塗布する接着剤の接着強度も調整が難しく、これを強くしすぎると、次の付箋紙から分離させる際に、これを必要以上に引っ張ってしまい、次の付箋紙が変形してしまう惧れが生じてしまう。また、反対に付箋紙の接着強度を弱くしすぎると、次の付箋紙の端部を取出し口から引き出す前に収納容器内で分離してしまい、次の付箋紙の取出し準備ができなくなってしまうという問題も生じる。
【０００９】
【考案が解決しようとする課題】
そこで、本件考案は、接着剤が塗布された付箋紙を使うことなく、通常の紙片によって紙片を取り出す毎に次の紙片の取出し準備がなされる紙片ディスペンサーを提供することを目的とする。
【００１０】
【課題を解決するための手段】
本件考案にかかる紙片ディスペンサーは、収納箱の表面に開口した取出し口から紙片を１枚づつ取り出す構造であって、前記紙片は本片部と、ヒンジ部で折返しされた折返し片部を有する紙片であり、一の該紙片の本片部と折返し片部との間に他の前記紙片の本片部を挟むように、かつ、一の前記紙片のヒンジ部と他の前記紙片のヒンジ部が反対側に位置するように、複数の前記紙片を交互に積載して紙片束を形成する。そして、該紙片束を前記紙片収納箱に収納したうえで前記紙片束の最上部に位置する紙片の端部が前記収納箱の一部表面に重なるよう前記収納箱の取出し口から露出させるものである。
【００１１】
また、前記紙片の本片部と折返し部は同形である紙片ディスペンサーとすることで、二つ折りのパンフレットタイプの紙片を提供することもできる。さらに、前記収納箱内において、前記紙束の下に付勢手段を配置し、該紙束を前記収納箱の取出し口側に押圧することで、取り出す紙片に続いて一端が引っ張られる次の紙片を押えることができ、紙片の円滑な分離を促進することができる。
【００１２】
さらに、前記取出し口の両側には、互いに対向する方向を示す印が印刷が施され、前記取出し口から露出した前記紙片が何れか一方の前記印を隠すことで、他方の前記印により前記紙片の引出し方向を使用者に示すことができる。
【００１３】
【考案の実施の形態】
（第一実施形態）
次に、上記した本考案の実施形態を図面を用いて説明する。本件考案実施の形態の紙片ディスペンサーの一実施形態を図１から図３に示す。
【００１４】
先ず図１及び図２を用いて、本実施形態の紙片ディスペンサーの構成を説明する。本実施形態の紙片ディスペンサー１はスーパーマーケットやコンビニエンスストアの売り場に置かれ、広告用紙片を顧客に提供する販売促進アイテムであって、紙製の箱体２と、この箱体２内に収納される紙片束３と、さらにこの紙片束３に対する付勢手段となる紙製の支持体４とから構成される。
【００１５】
箱体２は、印刷により加飾された紙製シートを折って組み立てたものであり、上面２１の略中央に、上面幅方向に横断し、所定の幅を有する取出し口２２を形成している。後述する紙片Ａ、Ｂ、…の端部がこの取出し口２２から露出する。
【００１６】
箱体２の上面２１には、取出し口２２の両側には、それぞれ紙片Ａ、Ｂ、…の引出し方向を示し、互いに対向する矢印２３ａ、２３ｂがそれぞれ印刷されている。後述するように、紙片束３の最上部の紙片Ａは、その端部３４が箱体２の取出し口２２から露出し、この紙片Ａの端部が一方の矢印２３ａを隠すために、他方の矢印２３ｂが紙片Ａの引出し方向を使用者に示すこととなる。
【００１７】
紙片束３は、複数の紙片Ａ、Ｂ、…を積載したものであり、それぞれの紙片Ａ、Ｂ、…は、中央のヒンジ部３１で本片部３２と折返し片部３３とを二つ折りにしている。本片部３２と折返し片部３３とは同形であって見開き型のパンフレットとなり、これが商品説明書やクーポン券となるように表裏に印刷が施されている。折り畳まれた状態の紙片Ａ、Ｂ、…は、箱体２の上面２１と略同じ平面形状を有する。
【００１８】
かかる紙片Ａ、Ｂ、…は、一の紙片Ａの折返し片部３３が次の紙片Ｂの本片部３２と折返し片部３３との間に挟まれるように、かつ、ヒンジ部３１が反対端側に位置するように、順次、互い違いに配置されて積層されている。そして、紙片束３の最上端の紙片Ａは、本片部３２の端部３４が箱体２の取出し口２２から露出し、使用者がこれを容易に引き出せる構造となっている。
【００１９】
支持体４は、同様に厚手の紙製シートを折り畳んで形成したものであって、紙片束３を載置させる台部４１と、この台部４１の両端から下方に延長される一対の脚片４２、４２を有する。この台部４１は箱体２の上面２１と略同じ平面形状を有する。
【００２０】
支持体４の脚片４２は、折り線４２ａにより内側に凸となる「くの字」状に折り曲げられており、その長さは箱体２内に残留する紙片が一枚になっても、これを取出し口２２側へ軽く押圧するように設定されている。
【００２１】
次に、箱体２から紙片Ａ、Ｂ、…を引き出す際の本実施形態の紙片ディスペンサー１の作動について図３を用いて説明する。まず、図３（ａ）に示すように、初期段階では、紙片束３最上部にある紙片Ａの端部３４が箱体２の取出し口２２から露出する。
【００２２】
この状態にあっては、紙片Ａの端部３４が箱体２の上面２１に印刷された一方の矢印２３ａを覆うことで、使用者に対して他方の矢印２３ｂのみ表示され、紙片Ａの引出し方向が示される。紙片Ａ、Ｂ、…の端部３４は、交互に反対方向に取出し口２２から露出し、この端部３４が交互に一方の矢印２３ａ、２３ｂを覆うために、交互に異なる紙片Ａ、Ｂ、…の取出し方向を使用者に教示することができる。
【００２３】
次に、図３（ｂ）に示すように、使用者が矢印２３ｂに示す方向に紙片Ａの端部３４を引っ張ると、ヒンジ部３１が取出し口２２の縁を乗り越え、紙片Ａの本片部３２が引き出される。この際、紙片Ａの本片部３２と折返し片部３３との間に挟まれている紙片Ｂの本片部３２がいっしょに外へ引き出される。
【００２４】
そして、図３（ｃ）に示すように、紙片Ａをさらに引っ張ると、ヒンジ３１が開いて、折返し片部３３が紙片Ｂの本片部３２と折返し片部３３から抜け出し、箱体２から取り出される。同時に、次に取り出されるべき紙片Ｂは、その本片部３２の端部３４が箱体２の取出し口２２から露出して、取出しスタンバイ状態となる。
【００２５】
この状態にあっては、露出した紙片Ｂの本片部３２の端部が矢印２３ｂを覆い、使用者には他方の矢印２３ａが示されて、紙片Ｂの引出し方向を教示する。また、支持台４が紙片束３を最後の紙片まで箱体２の内壁側に押圧するため、取出し口３４から露出する紙片Ａ、Ｂ、…の端部３４が箱体２の上面２１から浮き上がってしまうことを防止することができる。
【００２６】
以上説明したように、本実施形態の紙片ディスペンサー１によっては、箱体２の取出し口２２から紙片Ａの端部３４を保持して取り出すことにより、次の紙片Ｂの端部３４を自動的に取出し口２２から露出させることができる。特に紙片Ａ、Ｂ、…は接着剤を塗布した付箋紙のような特殊な用紙ではなく、通常の紙片を用いることができるため、製造コストを低く押えることができる。
【００２７】
なお、これら実施形態の紙片ディスペンサー１は、箱体２の裏面に両面テープを取り付け、これをレジ台の上面や、陳列棚側面の壁面に取り付けるなどして、使用することができる。
【００２８】
（第２実施形態）
本考案の第ニ実施形態を図４を用いて説明する。第一実施形態と同一の構成は同じ符号を付して説明を省略する。
【００２９】
本実施形態は、紙片Ａ、Ｂ、…の折返し片部３５を本片部３２に比べて小さくしており、紙片Ａ、Ｂ、…の全体の面積を小さくすることができる。本実施形態の構造は、紙片Ａ、Ｂ、…に記載する情報が少なくて良い場合など紙片Ａの材料費や印刷コストを押える場合に有効である。
【００３０】
なお、これら本件考案の紙片ディスペンサーは広告用紙片の頒布用装置として説明したが、他に紙片の内側にプライズを印刷したスピードクジの頒布装置や、単なる事務用メモ用紙の頒布装置としても使用することができるのは勿論であって、広く応用されるものである。
【００３１】
【考案の効果】
以上説明したように、本件考案によれば、接着剤が塗布された付箋紙のような特殊な紙片を使うことなく、通常の紙片によって紙片を取り出す毎に次の紙片の取出し準備がなされる紙片ディスペンサーを提供することができ、また、製造コストを低く押えた紙片ディスペンサーとすることができる。
【図面の簡単な説明】
【図１】本考案に係る第一実施形態の紙片ディスペンサーの斜視図である。
【図２】同紙片ディスペンサーの幅方向断面図である。
【図３】同紙片ディスペンサーの紙片取り出し作業を示す説明図である。
【図４】本考案に係る第二実施形態の紙片ディスペンサーの長さ方向断面図である。
【符号の説明】
１　…　紙片ディスペンサー
２　…　箱体
２２　…　取出し口
２３ａ、２３ｂ　…　矢印
３　…　紙片束
Ａ、Ｂ、Ｃ、Ｄ　…　紙片
３１　…　ヒンジ部
３２　…　本片部
３３、３５　…　折返し片部
３４　…　紙片の端部
４　…　支持台（付勢手段）
【図１】
0003098980.tif 000003
【図２】
0003098980.tif 000004
【図３】
0003098980.tif 000005
【図４】
0003098980.tif 000006